(57)【特許請求の範囲】
【請求項１】
矩形の下枠と、
前記下枠の４隅に立設された支柱と、
弾性材で覆われた複数のポールと、
前記下枠側に設けられて前記複数のポールを少なくとも２列に保持するポール保持枠と、
各ポール間に搬送すべき曲面ガラス板を挟持した各ポール列の上部に設けられて前記複数のポールを保持するポール押え枠と、
を備え、
前記ポール保持枠に各ポールが差込まれる孔が所定ピッチで形成され、前記複数のポールが該孔にそれぞれ差込まれて配列されていることを特徴とする曲面ガラス板搬送用パレット。
【請求項２】
前記ポール押え枠に、各ポールが差込まれる孔が形成されていることを特徴とする請求項１に記載の曲面ガラス板搬送用パレット。
【請求項３】
前記ポール押え枠に、各ポール列の最前のポールが差込まれる孔および残りのポールが並んで差し込まれる溝が形成されていることを特徴とする請求項１に記載の曲面ガラス板搬送用パレット。
【請求項４】
前記ポール保持枠と前記ポール押え枠とが互いに結束されていることを特徴とする請求項１から請求項３のいずれか一項に記載の曲面ガラス板搬送用パレット。
【請求項５】
前記曲面ガラス板を並べた際の曲面ガラス板間の間隔にあわせて前記複数のポールが配列されていることを特徴とする請求項１から請求項４のいずれか一項に記載の曲面ガラス板搬送用パレット。
【請求項６】
パレットの矩形の下枠に弾性材で覆われた複数のポールを少なくとも２列に配列し、各ポール間に搬送すべき曲面ガラス板を挟持する曲面ガラス板の梱包方法であって、
各ポール列の最奥側のポールを前記下枠に立設し、
各ポール列の最前のポールに曲面ガラス板を立て掛け、該曲面ガラス板の前側にさらにポールを立設し、ポール間に該曲面ガラス板を挟持する工程を繰り返して曲面ガラス板を並べ、
各ポール列の上部にポール押え枠を設けて前記複数のポールを保持することを特徴とする曲面ガラス板の梱包方法。
【請求項７】
前記曲面ガラス板を並べた際の曲面ガラス板間の間隔にあわせて前記複数のポールを前記下枠に立設することを特徴とする請求項６に記載の曲面ガラス板の梱包方法。
【請求項８】
間に保護材を介装して複数の曲面ガラス板をポール間に挟むことを特徴とする請求項６または請求項７に記載の曲面ガラス板の梱包方法。
【発明の詳細な説明】
【０００１】
【発明の属する技術分野】
本発明は曲面ガラス板搬送用パレットに関する。
【０００２】
【従来の技術】
自動車用のフロントガラスやリヤガラス等の３次元曲面のガラス板を複数枚梱包して搬送する場合、従来は、各曲面ガラス板間に発泡スチロール板を介装しポリプロピレン等のバンドで結束して、各曲面ガラス板同士を固定して搬送していた。
【０００３】
【発明が解決しようとする課題】
しかしながら、搬送するガラス板が曲面形状を呈していると、発泡スチロール板を最適な位置に介装して保持することは容易でなく作業が面倒であり、またバンドで結束する場合にも結束位置の選定が容易でなく無理が力が加わったり逆に弛んだりすることがあり、梱包作業の手間が多くかかり作業性が悪かった。
【０００４】
一般に、自動車窓用のガラス板は、自動車の型式や部位に応じて、その大きさ、形状、曲率がまちまちである。このような大きさ、形状、曲率の異なる複数のガラス板を同時に梱包して搬送しようとすると、各ガラス板間の間隔もまちまちになることから、上記の梱包作業時の不具合が顕著に表われる。
【０００５】
本発明は上記従来技術を考慮したものであって、梱包作業性を向上させた曲面ガラス板搬送用パレットの提供を目的とする。
【０００６】
【課題を解決するための手段】
前記目的を達成するため、本発明では、矩形の下枠と、前記下枠の４隅に立設された支柱と、弾性材で覆われた複数のポールと、前記下枠側に設けられて前記複数のポールを少なくとも２列に保持するポール保持枠と、各ポール間に搬送すべき曲面ガラス板を挟持した各ポール列の上部に設けられて前記複数のポールを保持するポール押え枠と、を備え、前記ポール保持枠に各ポールが差込まれる孔が所定ピッチで形成され、前記複数のポールが該孔にそれぞれ差込まれて配列されていることを特徴とする曲面ガラス板搬送用パレットを提供する。
【０００７】
この構成によれば、搬送すべき曲面ガラス板を所定のピッチで配列されたポールで挟むため、効率よく曲面ガラス板を弾性材のポールで挟持することができ梱包作業性が向上する。そして、下枠側にポール保持枠が設けられ、その上部にポール押え枠が設けられるため、簡単な構成で確実にポールを保持することができ、梱包の信頼性が高まるとともに作業性がさらに向上する。
【０００８】
好ましい構成例によれば、前記ポール押え枠に、各ポールが差込まれる孔が形成されていることを特徴とする。あるいは、前記ポール押え枠に、各ポール列の最前のポールが差込まれる孔および残りのポールが並んで差し込まれる溝が形成されていることを特徴とする。
また、好ましい構成例によれば、前記ポール保持枠と前記ポール押え枠とが互いに結束されていることを特徴とする。ポール保持枠とポール押え枠同士を結束すれば確実な固定保持が達成される。
また、好ましい構成例によれば、前記曲面ガラス板を並べた際の曲面ガラス板間の間隔にあわせて前記複数のポールが配列されていることを特徴とする。
【０００９】
また、本発明では、パレットの矩形の下枠に弾性材で覆われた複数のポールを少なくとも２列に配列し、各ポール間に搬送すべき曲面ガラス板を挟持する曲面ガラス板の梱包方法であって、各ポール列の最奥側のポールを前記下枠に立設し、各ポール列の最前のポールに曲面ガラス板を立て掛け、該曲面ガラス板の前側にさらにポールを立設し、ポール間に該曲面ガラス板を挟持する工程を繰り返して曲面ガラス板を並べ、各ポール列の上部にポール押え枠を設けて前記複数のポールを保持することを特徴とする曲面ガラス板の梱包方法を提供する。
この構成によれば、搬送すべき曲面ガラス板をポールで挟むため、効率よく曲面ガラス板を弾性材のポールで挟持することができ梱包作業性が向上する。そして、下枠側にポール保持枠が設けられ、その上部にポール押え枠が設けられるため、簡単な構成で確実にポールを保持することができ、梱包の信頼性が高まるとともに作業性がさらに向上する。
好ましい構成例によれば、前記曲面ガラス板を並べた際の曲面ガラス板間の間隔にあわせて前記複数のポールを前記下枠に立設することを特徴とする。
また、好ましい構成例によれば、間に保護材を介装して複数の曲面ガラス板をポール間に挟むことを特徴とする。
【００１０】
【発明の実施の形態】
図１は、本発明の実施の形態に係る曲面ガラス板搬送用パレットの斜視図である。このパレット１は、複数本の枠材２を組み合わせて構成した下枠３と、この下枠３の４隅に立設した支柱４と、背面側の２本の支柱４間を連結する背枠５とからなる。下枠３の下側には、ポール収容枠６が形成される。下枠３には、前後方向に一定ピッチで複数のポール差込み孔７が形成された２個のポール保持枠８が並列して設けられる。
【００１１】
各ポール保持枠８にはポール９が装着される。ポール９は、例えば鋼パイプの周囲をポリエチレン等の弾性を有する樹脂材料で覆ったものである。ポール９の上下両端には鋼パイプの突起９ａが露出して形成されている（上端部のみ図示）。この突起９ａを保持枠８のポール差込み孔７に挿入して、各ポール９をポール保持枠８上に立設して２列のポール列が形成される。各ポール９間に曲面ガラス板Ｇが挿入されて保持される。
【００１２】
各ポール保持枠８に隣接して表面をポール９と同様の弾性材で覆ったガラス支持桟１０が設けられる。これらのガラス支持桟１０上に曲面ガラス板Ｇが搭載支持され、その両外側には側面押え板１１が配置され曲面ガラス板Ｇをその外側から固定保持する。１１ａは側面押え板１１のストッパピンである。
【００１３】
２列のポール９の列のそれぞれに対応して、その上部にポール押え枠１２が設けられる（１個のみ図示）。このポール押え枠１２はその後端部のブラケット１２ａを背枠５に装着して図示しないネジ等により固定される。ポール押え枠１２の前面にはベルト１３が取付けられ、下側のポール保持枠８側に設けたフック（図示しない）に巻回されポール９を曲面ガラス板Ｇとともに結束する。ポール押え枠１２の下面側には各ポール９の突起９ａが差込まれる孔（図示しない）を設けてもよいし、あるいは突起９ａが並んで挿入配設される溝とし最前部のみのポール９に対応した差込み孔を１個だけ形成してもよい。
【００１４】
図２（Ａ）（Ｂ）（Ｃ）は、上記曲面ガラス板搬送用パレットの梱包手順を示す要部上面図である。
まず、（Ａ）図に示すように、パレット１の最も奥側のポール差込み孔７にポールの突起を挿入して２本のポール９Ａを立設する。この場合、最奥のポール差込み孔７の位置は搬送する曲面ガラス板の枚数に応じて定められる。
次に、（Ｂ）図に示すように、立設した最奥の２本のポール９Ａに搬送すべき曲面ガラス板Ｇを立て掛ける。続いて、その前部にポール９を立てて、最奥のポール９Ａとの間に曲面ガラス板Ｇを挟む。このとき、曲面ガラス板の奥行方向の幅のよっては２枚の曲面ガラス板Ｇを例えば紙材等の保護材を間に介装して並列させて保持してもよい。また、寸法的に隙間が生じたときには適当なクッション材を介装させる。
【００１５】
続いて、順番に曲面ガラス板Ｇとポール９とを交互に配設して、（Ｃ）図に示すように、パレット１のガラス支持桟１０上全体に曲面ガラス板Ｇを並べて搭載する。その後、側面押え板１１（図１）を両側に配設してストッパピン１１ａで固定して曲面ガラス板Ｇの両側を固定保持する。その後、最前部のポール９Ｂを立てる。続いて、最奥部および最前部のポール９Ａ，９Ｂを含むポール９の列の上にポール押え枠１２を載せて装着し、最前部のポール９Ｂの突起をポール押え枠１２の孔（図示しない）に差込んで固定する。その後ベルト１３で結束して梱包を終了する。
【００１６】
【発明の効果】
以上説明したように、本発明においては、簡単な構造で容易に確実に効率よく複数枚の曲面ガラス板をクッションとなるポールを介装しながら固定保持することができ、梱包の作業性が向上するとともに梱包の信頼性が高まる。
【図面の簡単な説明】
【図１】  本発明の実施の形態に係る曲面ガラス板搬送用パレットの斜視図。
【図２】  図１のパレットの梱包手順の説明図。
【符号の説明】
１：パレット、２：枠材、３：下枠、４：支柱、５：背枠、
６：ポール収容枠、７：ポール差込み孔、８：ポール保持枠、９：ポール、
１０：ガラス支持桟、１１：側面押え板、１２：ポール押え枠、
１３：ベルト、Ｇ：曲面ガラス板。
【図１】
0004048339.tif 000002
【図２】
0004048339.tif 000003